(57)【特許請求の範囲】
【請求項１】
壁面に対して軸線が直交するように固定される円柱形筐体１と、この円柱形筐体１内に配置され、頭部が前記円柱形筐体１の外部に露出しているＬＥＤ（１２）とを備えた照明付き留め具において、
前記円柱形筐体１は、前記壁面側が底部で閉じられ、前記壁面側と反対側の天面が開放された円柱形筐体１とし、
該円柱形筐体１の前記底部の外面に永久磁石（９）を固定するとともに、前記天面には、前記軸線方向において前記壁面側に向けて押圧操作されるキャップ（３）を設け、
前記円柱形筐体１内部の軸線方向中央部に、プリント基板（１０）をその板面を前記軸線方向と直交させて設け、
該プリント基板（１０）と前記底部との間に該プリント基板（１０）に接続されて前記ＬＥＤ（１２）の電源となるボタン型電池（１３）を設けるとともに、前記プリント基板（１０）と前記キャップ（３）との間において前記プリント基板（１０）に前記ＬＥＤ（１２）と該ＬＥＤ（１２）をオンオフさせるオルタネイト式のスイッチ（１１）を実装し、該スイッチ（１１）の押しボタン（１１ｄ）の頂部を前記キャップ（３）の天蓋内面に接触させ、
前記円柱形筐体（１）の軸線方向に関し、前記オルタネイト式スイッチ（１１）の長さ（厚さ）を前記ＬＥＤ（１２）の長さ（直径）よりも大きくして、オルタネイト式スイッチ（１１）の側方にＬＥＤ（１２）を配置するとともに、該ＬＥＤ（１２）の発光部の頭部を前記円柱形筐体（１）の上部周壁に穿設した小孔（５）に挿入して該ＬＥＤ（１２）の頭部を前記円柱形筐体（１）の側方に露出させ、
前記キャップ（３）は、該キャップ（３）の押圧時に前記オルタネイト式スイッチ（１１）の頭部が該キャップ（３）内に収容される、天蓋を有する円筒状に構成したことを特徴とする照明付き留め具。
【請求項２】
前記円柱形筐体１の底部の前記永久磁石（９）は、Ｔ字状で頂部が平らな金属製の画鋲盤（１５）と着脱自在に磁力連結することを特徴とする、請求項１記載の照明付き留め具。
【請求項３】
前記円柱形筐体１の底部の前記永久磁石（９）は、頂部に円形の金属板（１６）が埋め込まれた吸盤（１７）と着脱自在に磁力連結することを特徴とする、請求項１記載の照明付き留め具。
【請求項４】
前記円柱形筐体１の底部の前記永久磁石（９）は、底面に両面テープ（１８）を設けた円盤状で金属製の両面テープ盤（１９）と着脱自在に磁力連結することを特徴とする、請求項１記載の照明付き留め具。
【発明の詳細な説明】
【技術分野】
【０００１】
本発明は、ポスター、写真、ポストカード等の掲示物を壁面に固定すると共に、掲示物に直接光を当ててライトアップすることで暗い場所でも視認可能となる、小形で軽量な照明付き留め具に関する。
【背景技術】
【０００２】
従来、画鋲や磁石等の留め具は、掲示物を壁面に固定する目的の小道具であり、主に利便性や装飾性において工夫がなされてきた。
【０００３】
利便性においては、掲示物を繰り返し壁面に固定できるクリップと画鋲が一体になった留め具が提案されている（例えば、特許文献１及び特許文献２参照）。
【０００４】
また、掲示物を繰り返し壁面に固定できる磁石と画鋲や両面テープを用いた分離式の留め具も提案されている（例えば、特許文献３及び特許文献４参照）。
【０００５】
上述した装飾性においては、明るい所で光りを蓄え暗闇で光る畜光材を使った画鋲が市販されている（例えば、非特許文献１参照）。
【０００６】
また、ＬＥＤと押しボタンスイッチとボタン型の電池を内蔵した発光する円筒状体の画鋲が市販されている（例えば、非特許文献２参照）。
【０００７】
また、ポスターや美術品等の掲示物を展示するＬＥＤ照明付き展示装置が提案されている（例えば、特許文献５参照）。
【先行技術文献】
【特許文献】
【０００８】
【特許文献１】特許公開２００８−１１９８５６号公報（図１〜図７）
【特許文献２】特許公開２００６−１２６２号公報（図１，図２）
【特許文献３】実用新案登録第３０６７４４９号公報（図１〜図７）
【特許文献４】実用新案登録第３１１３８３１号公報（図１，図２）
【特許文献５】特許公開２００９−２８８７３８号公報（図１〜図３）
【非特許文献１】ベロス株式会社による「光るんですダルマ画鋲」、〔平成２２年８月２１日検索〕、インターネット＜URL；http://www.a-ssist.com/kigyo/be-001/＞
【非特許文献２】株式会社ドリームズによる「プッシュピンライト」、〔平成２２年８月２１日検索〕、インターネット＜URL；http://www.dreams6.com/products/variety/pushpinlight.html＞
【発明の概要】
【発明が解決しようとする課題】
【０００９】
従来の画鋲や磁石等の留め具は、掲示物を壁面に固定するのが主な目的であるが、掲示物に直接光を当ててライトアップすることで暗い場所でも視認可能となる照明機能を備えたものはない。
【００１０】
例えば、特許文献１と特許文献２に開示されたクリップと画鋲が一体になった留め具では、掲示物をライトアップする照明装置を備えておらず、クリップの構造上、照明装置を備えられるスペースはなく小形化も難しい。
【００１１】
また、特許文献３と特許文献４に開示された分離式の留め具でも、掲示物をライトアップする照明装置を備えておらず、仮に照明装置を磁石側に備えたとしても、ＬＥＤの発光部が低位置で壁面寄りになってしまい照射範囲が狭まってしまう。
【００１２】
また、非特許文献１の畜光材を使った画鋲では、明るい場所での畜光に時間を要し、発光時間も約４〜５時間程度と限りがあり、暗い場所でも掲示物が視認できるような明るさはない。
【００１３】
また、非特許文献２の照明部材を内蔵した発光する円筒状体の画鋲では、内部のＬＥＤで円筒状体の頭部の押しボタンが発光するが、正面に拡散する発光色を楽しむ装飾目的のものであり、暗い場所でも掲示物が視認できるような明るさはない。
【００１４】
また、特許文献５に開示されたＬＥＤ照明付き展示装置では、掲示物を電磁誘導によって磁気吸着させる受動部からなる照明体と給電部からなるパネル体があり、円筒状体の照明体は上部周面に露出したＬＥＤの発光部が掲示物に直接光を当ててライトアップするが、パネル体は外部電源を必要とする大掛かりな装置となってしまい、壁面に装着するには耐荷重性を要する留め具が別途必要である。
【００１５】
本発明の目的は、このような複数の課題を解決して、掲示物を壁面に固定すると共に、掲示物に直接光を当ててライトアップすることで暗い場所でも視認可能となる、小形で軽量な照明付き留め具を提供することにある。
【課題を解決するための手段】
【００１６】
上記目的を達成するために、本発明に係る照明付き留め具は、壁面に対して軸線が直交するように固定される円柱形筐体（１）と、この円柱形筐体（１）内に配置され、頭部が前記円柱形筐体（１）の外部に露出しているＬＥＤ（１２）とを備えた照明付き留め具において、
前記円柱形筐体（１）は、前記壁面側が底部で閉じられ、前記壁面側と反対側の天面が開放された円柱形筐体（１）とし、
該円柱形筐体（１）の前記底部の外面に永久磁石（９）を固定するとともに、前記天面には、前記軸線方向において前記壁面側に向けて押圧操作されるキャップ（３）を設け、
前記円柱形筐体（１）内部の軸線方向中央部に、プリント基板（１０）をその板面を前記軸線方向と直交させて設け、
該プリント基板（１０）と前記底部との間に該プリント基板（１０）に接続されて前記ＬＥＤ（１２）の電源となるボタン型電池（１３）を設けるとともに、前記プリント基板（１０）と前記キャップ（３）との間において前記プリント基板（１０）に前記ＬＥＤ（１２）と該ＬＥＤ（１２）をオンオフさせるオルタネイト式のスイッチ（１１）を実装し、該スイッチ（１１）の押しボタン（１１ｄ）の頂部を前記キャップ（３）の天蓋内面に接触させ、
前記円柱形筐体（１）の軸線方向に関し、前記オルタネイト式スイッチ（１１）の長さ（厚さ）を前記ＬＥＤ（１２）の長さ（直径）よりも大きくして、オルタネイト式スイッチ（１１）の側方にＬＥＤ（１２）を配置するとともに、該ＬＥＤ（１２）の発光部の頭部を前記円柱形筐体（１）の上部周壁に穿設した小孔（５）に挿入して該ＬＥＤ（１２）の頭部を前記円柱形筐体（１）の側方に露出させ、
前記キャップ（３）は、該キャップ（３）の押圧時に前記オルタネイト式スイッチ（１１）の頭部が該キャップ（３）内に収容される、天蓋を有する円筒状に構成したことを特徴とする。
【００１７】
また、本発明においては、必要に応じて上記手段に加え、前記円柱形筐体（１）の底部の前記永久磁石に、Ｔ字状で頂部が平らな金属製の画鋲盤を着脱自在に磁力連結することを特徴とする。
【００１８】
また、本発明においては、必要に応じて上記手段に加え、前記円柱形筐体（１）の底部の前記永久磁石に、頂部に円形の金属板が埋め込まれた吸盤を着脱自在に磁力連結することを特徴とする。
【００１９】
また、本発明においては、必要に応じて上記手段に加え、前記円柱形筐体（１）の底部の前記永久磁石に、底面に両面テープを設けた円盤状で金属製の両面テープ盤を着脱自在に磁力連結することを特徴とする。
【発明の効果】
【００２０】
以上説明したように本発明によれば、円筒状体を掲示物と共に壁面に固定し、壁面から適宜離れた位置にあるＬＥＤの発光部を掲示物の中心側に向け、キャップの押し圧操作でスイッチをオンにしてＬＥＤを点灯することにより、掲示物を上方から広範囲に照射して暗い場所でも視認可能となる、小形で軽量な照明付き留め具を提供することができる。
【図面の簡単な説明】
【００２１】
【図１】本発明の外観を示す斜視図である。
【図２】図１の切断面線Ａ−Ａから見た側面の断面図である。
【図３】本発明の実施例１を示す側面の断面図である。
【図４】本発明の実施例２を示す側面の断面図である。
【図５】本発明の実施例３を示す側面の断面図である。
【図６】本発明の実施例４を示す側面の断面図である。
【図７】本発明を壁面に固定して点灯した際の斜視図である。
【発明を実施するための形態】
【００２２】
以下、本発明に係る照明付き留め具を図面とともに説明する。
【実施例１】
【００２３】
図１と図２において、照明付き留め具の構成について説明する。
この照明付き留め具は、壁面に対して軸線が直交するように固定される円柱形筐体（１）と、この円柱形筐体１内に配置され、頭部が前記円柱形筐体１の外部に露出しているＬＥＤ１２とを備えた照明付き留め具において、
前記円柱形筐体１は、前記壁面側が底部で閉じられ、前記壁面側と反対側の天面が開放された円柱形筐体１とし、
該円柱形筐体１の前記底部の外面に永久磁石９を固定するとともに、前記天面には、前記軸線方向において前記壁面側に向けて押圧操作されるキャップ３を設け、
前記円柱形筐体１内部の軸線方向中央部に、プリント基板１０をその板面を前記軸線方向と直交させて設け、
該プリント基板１０と前記底部との間に該プリント基板１０に接続されて前記ＬＥＤ１２の電源となるボタン型電池１３を設けるとともに、前記プリント基板１０と前記キャップ３との間において前記プリント基板１０に前記ＬＥＤ１２と該ＬＥＤ１２をオンオフさせるオルタネイト式のスイッチ１１を実装し、該スイッチ１１の押しボタン１１ｄを前記キャップ３の天蓋内面に接触させさせたことを特徴とする。
照明部材を配設する円柱形筐体１の上部内周壁に段差を有する凹み状の溝２を周設し、該溝２に天蓋を有する円筒状のキャップ３の下端周囲に形設した外向きのフランジ４を上下動可能に嵌め合わせ、円柱形筐体１の上部周壁に後述するＬＥＤ１２の発光部の径寸法に略等しい小孔５を穿設し、円柱形筐体１の下部周壁に方形状の開口部６を成形し、該開口部６に開閉蓋７を取り付け、円柱形筐体１の底部外面に円形状の窪み８を穿設し、該窪み８に丸型の永久磁石９を埋設する。
【００２４】
図２において、照明付き留め具に備えた照明部材について説明する。円柱形筐体１の内部中央にプリント基板１０を取り付け、該プリント基板１０の上面に押しボタン１１ｄを有するスイッチ１１と高輝度ＬＥＤ１２を実装し、円柱形筐体１の内部の底面上に２個のボタン型電池１３を直列に配置し、該ボタン型電池１３と接触する電極部材１４をプリント基板の底面に取り付ける。
【００２５】
前記スイッチ１１は、オルタネイト動作するもので、下方に突出したスイッチ端子１１ａ〜１１ｃをプリント基板１０の上面に実装し、また、スイッチ１１の頂部に有する押しボタン１１ｄが円柱形筐体１の上部に嵌め合わせたキャップ３の天蓋内面に接触している。
【００２６】
前記ＬＥＤ１２は、高輝度で白色の砲弾型発光ダイオードであって、脚部のアノード端子１２ａとカソード端子１２ｋをプリント基板１０の上面に実装し、ＬＥＤ１２の発光部の頭部を円柱形筐体１の上部周壁に穿設した小孔５に挿着する。
【００２７】
前記ボタン型電池１３は、１個あたりの定格出力電圧が１．５Ｖで、例えば直径７．９ミリメートル、厚み３．６ミリメートルのＬＲ４１やＳＲ４１等、直径１１．６ミリメートル、厚み５．４ミリメートルのＬＲ４４やＳＲ４４等のような小形なものが適し、２個が直列に重なった状態で正極側の端子片１４ａと負極側の端子片１４ｂとの間に挟持固定され、開閉蓋７を外して出し入れを行う。
【００２８】
前記プリント基板１０は、底面に正極側の端子片１４ａを実装し、該正極側の端子片１４ａをスイッチ端子１１ａまたはスイッチ端子１１ｃに配線し、スイッチ端子１１ｂをＬＥＤ１２のアノード端子１２ａに配線し、ＬＥＤ１２のカソード端子１２ｋをプリント基板１０の底面に実装した配線コード１４ｃを介して負極側の端子片１４ｂに配線する。
【００２９】
なお、必要であれば、スイッチ端子１１ｂとＬＥＤ１２のアノード端子１２ａとの間に、電流制限用の抵抗器を直列に入れて順方向電流を調整しても良い。
【００３０】
図３と図７において、照明付き留め具を壁面に固定してＬＥＤを点灯する方法について説明する。円柱形筐体１の底部の窪み８に埋設した永久磁石９で掲示物Ａを金属製の壁面Ｂに吸着し、ＬＥＤ１２の発光部の頭部が掲示物Ａの中心側に向く位置で円柱形筐体１を固定する。該円柱形筐体１の上部に嵌め合わせたキャップ３の天蓋を下方に押してスイッチ１１の押しボタン１１ｄを押し圧すると、スイッチ１１がオンとなってＬＥＤ１２が点灯し、該ＬＥＤ１２の出射光が壁面Ｂに固定された掲示物Ａを上方から照射する。
【実施例２】
【００３１】
図４と図７において、照明付き留め具を画鋲によって壁面に固定してＬＥＤを点灯する方法について説明する。T字状で頂部が平らな金属製の画鋲盤１５を壁面Ｂに刺して固定した後に、円柱形筐体１の底部の窪み８に埋設した永久磁石９で掲示物Ａを間に挟んで前記画鋲盤１５と着脱自在に磁力連結し、ＬＥＤ１２の発光部の頭部が掲示物Ａの中心側に向く位置で円柱形筐体１を固定する。該円柱形筐体１の上部に嵌め合わせたキャップ３の天蓋を下方に押してスイッチ１１の押しボタン１１ｄを押し圧すると、スイッチ１１がオンとなってＬＥＤ１２が点灯し、該ＬＥＤ１２の出射光が壁面Ｂに固定された掲示物Ａを上方から照射する。
【実施例３】
【００３２】
図５と図７において、照明付き留め具を吸盤によって壁面に固定してＬＥＤを点灯する方法について説明する。頂部に円形の金属板１６が埋め込まれた吸盤１７を壁面Ｂに吸着固定した後に、円柱形筐体１の底部の窪み８に埋設した永久磁石９で掲示物Ａを間に挟んで前記吸盤１７と着脱可能に磁力連結し、ＬＥＤ１２の発光部の頭部が掲示物Ａの中心側に向く位置で円柱形筐体１を固定する。該円柱形筐体１の上部に嵌め合わせたキャップ３の天蓋を下方に押してスイッチ１１の押しボタン１１ｄを押し圧すると、スイッチ１１がオンとなってＬＥＤ１２が点灯し、該ＬＥＤ１２の出射光が壁面Ｂに固定された掲示物Ａを上方から照射する。
【実施例４】
【００３３】
図６と図７において、照明付き留め具を両面テープによって壁面に固定してＬＥＤを点灯する方法について説明する。底面に両面テープ１８を設けた円盤状で金属製の両面テープ盤１９を壁面Ｂに貼着固定した後に、円柱形筐体１の底部の窪み８に埋設した永久磁石９で掲示物Ａを間に挟んで前記両面テープ盤１９と着脱可能に磁力連結し、ＬＥＤ１２の発光部の頭部が掲示物Ａの中心側に向く位置で円柱形筐体１を固定する。該円柱形筐体１の上部に嵌め合わせたキャップ３の天蓋を下方に押してスイッチ１１の押しボタン１１ｄを押し圧すると、スイッチ１１がオンとなってＬＥＤ１２が点灯し、該ＬＥＤ１２の出射光が壁面Ｂに固定された掲示物Ａを上方から照射する。
【符号の説明】
【００３４】
１    円柱形筐体
２    溝
３    キャップ
４    フランジ
５    小孔
６    開口部
７    開閉蓋
８    窪み
９    永久磁石
１０    プリント基板
１１    スイッチ
１１ａ〜１１ｃ    スイッチ端子
１１ｄ    押しボタン
１２    ＬＥＤ
１２ａ    アノード端子
１２ｋ    カソード端子
１３    ボタン型電池
１４    電極部材
１４ａ    正極側の端子片
１４ｂ    負極側の端子片
１４ｃ    配線コード
１５    画鋲盤
１６    金属板
１７    吸盤
１８    両面テープ
１９    両面テープ盤
【図１】
0005016090.tif 000002
【図２】
0005016090.tif 000003
【図３】
0005016090.tif 000004
【図４】
0005016090.tif 000005
【図５】
0005016090.tif 000006
【図６】
0005016090.tif 000007
【図７】
0005016090.tif 000008